(57)【要約】      （修正有）【課題】高圧液体ガス燃料を使用せず、点火時の防風機能があり、火傷を引き起こしにくい安全な点火装置を提供する。【解決手段】表面に点火口１１１が形成されたハウジング１０と、ハウジング１０内にそれぞれ設置された制御回路、点火素子３０、充電機能を備えた蓄電素子及び充電コネクタと、ハウジング１０外部に設置された発光素子４０を含む。制御回路が、点火素子３０による電熱点火、発光素子４０による照明発光、充電の制御機能を備え、且つそれぞれ押圧することで電熱点火と照明発光機能のオンまたはオフを制御する第１制御ボタンと第２制御ボタンを含み、点火素子３０が点火口１１１内に配置されて制御回路と接続され、蓄電素子のプラス端、マイナス端が制御回路の直流電源プラス端及びマイナス端にそれぞれ接続され、充電コネクタが制御回路の直流電源プラス端及びマイナス端と接続される。【選択図】図１
0003175946.tif 000002
【実用新案登録請求の範囲】
【請求項１】
表面に少なくとも１つの点火口が形成されたハウジングと、前記ハウジング内にそれぞれ設置された制御回路、点火素子、充電機能を備えた蓄電素子及び充電コネクタと、前記ハウジング外部に設置された発光素子とを含み、
前記制御回路が、前記点火素子による電熱点火、前記発光素子による照明発光、充電の制御機能を備え、且つそれぞれ押圧することで電熱点火と照明発光機能のオンまたはオフを制御する第１制御ボタンと第２制御ボタンを含み、
前記点火素子が、前記ハウジングの点火口内に配置されると共に、前記制御回路と接続され、前記制御回路の前記第１制御ボタンの押圧操作により、前記点火素子のオンまたはオフが制御され、
前記発光素子が前記制御回路と接続され、前記制御回路の前記第２制御ボタンの押圧操作により、照明発光及び充電状態の発光表示が制御され、
前記蓄電素子のプラス端、マイナス端が前記制御回路の直流電源プラス端及びマイナス端にそれぞれ接続され、前記制御回路、前記点火素子、前記発光素子に対して直流電源を提供し、
前記充電コネクタが前記制御回路の直流電源プラス端及び直流電源マイナス端と接続され、前記制御回路の前記蓄電素子のプラス端、マイナス端間に対して充電を行う、
ことを特徴とする、点火装置。
【請求項２】
前記ハウジングが上ハウジングと下ハウジングを含み、前記点火口が前記上ハウジングの表面に形成されたことを特徴とする、請求項１に記載の点火装置。
【請求項３】
前記上ハウジングの表面に、前記第１制御ボタンを設置するための孔が形成されたことを特徴とする、請求項２に記載の点火装置。
【請求項４】
前記下ハウジングの後端にリング部が設置されたことを特徴とする、請求項２に記載の点火装置。
【請求項５】
前記リング部に少なくとも１つのキーリングが連結可能であることを特徴とする、請求項４に記載の点火装置。
【請求項６】
前記制御回路がダイオード、第１抵抗器、第２抵抗器、第１制御ボタン、第２制御ボタンを含むことを特徴とする、請求項１に記載の点火装置。
【請求項７】
前記点火素子がフィラメントであることを特徴とする、請求項１に記載の点火装置。
【請求項８】
前記発光素子が発光ダイオードであることを特徴とする、請求項１に記載の点火装置。
【請求項９】
前記充電コネクタがＭＩＮＩ  ＵＳＢコネクタであることを特徴とする、請求項１に記載の点火装置。
【考案の詳細な説明】
【技術分野】
【０００１】
本考案は、電熱点火、発光照明、蓄電の機能を備えた点火装置に関する。
【背景技術】
【０００２】
従来の携帯型の点火装置としてはライターがあり、煙草、線香、爆竹等の物品の点火に広く用いられている。使用する燃料は高圧液体ガスであり、燃料補充時に高い引火の危険性があるほか、補充燃料の携帯も非常に不便なので、使用し難いだけでなく、一部先進国の税関や空港ではライターと補充燃料は危険物と見なされており、使用者に使用上の不便さと困難を生じている。
【０００３】
従来のライターの別の欠点として、防風機能がないことがあり、たとえば屋外で使用するときに風がある環境や場面に遭遇すると、炎が容易に吹き消されてしまい、物品への点火ができなくなる。また、加圧または噴射装置が追加設置されているものは、ほかの物品に誤って着火したり、使用者の火傷事故を引き起こしたりする危険がある。
【考案の概要】
【考案が解決しようとする課題】
【０００４】
本考案が解決しようとする課題は、高圧液体ガス燃料を使用せず、点火時の防風機能があり、火傷を引き起こしにくい安全な点火装置を提供することにある。
【課題を解決するための手段】
【０００５】
本考案の点火装置は、表面に少なくとも１つの点火口が形成されたハウジングと、前記ハウジング内にそれぞれ設置された制御回路、点火素子、充電機能を備えた蓄電素子及び充電コネクタと、前記ハウジング外部に設置された発光素子とを含み、前記制御回路が、前記点火素子による電熱点火、前記発光素子による照明発光、充電の制御機能を備え、且つそれぞれ押圧することで電熱点火と照明発光機能のオンまたはオフを制御する第１制御ボタンと第２制御ボタンを含み、前記点火素子が、前記ハウジングの点火口内に配置されると共に、前記制御回路と接続され、前記制御回路の前記第１制御ボタンの押圧操作により、前記点火素子のオンまたはオフが制御され、前記発光素子が前記制御回路と接続され、前記制御回路の前記第２制御ボタンの押圧操作により、照明発光及び充電状態の発光表示が制御され、前記蓄電素子のプラス端、マイナス端が前記制御回路の直流電源プラス端及びマイナス端にそれぞれ接続され、前記制御回路、前記点火素子、前記発光素子に対して直流電源を提供し、前記充電コネクタが前記制御回路の直流電源プラス端及び直流電源マイナス端と接続され、前記制御回路の前記蓄電素子のプラス端、マイナス端間に対して充電を行う。
【０００６】
前記ハウジングが上ハウジングと下ハウジングを含み、前記点火口が前記上ハウジングの表面に形成されることがある。
前記上ハウジングの表面に、前記第１制御ボタンを設置するための孔を形成してもよい。
下ハウジングの後端に、少なくとも１つのキーリングを連結可能なリング部が設置されることもある。
前記制御回路はダイオード、第１抵抗器、第２抵抗器、第１制御ボタン、第２制御ボタンを含むことがある。
前記点火素子はフィラメントとすることができる。
前記発光素子は発光ダイオードとすることができる。
前記充電コネクタはＭＩＮＩ  ＵＳＢコネクタとすることができる。
【考案の効果】
【０００７】
本考案の点火装置は、ハウジングの点火口内に電熱点火を行なう点火素子を配置したことにより、高圧液体ガス燃料を用いずに安全に点火できると共に、点火時に防風機能を発揮するだけでなく、発光素子が発光照明と充電状態を表示する機能を有し、ハウジング内の蓄電素子と充電コネクタによって、コンピュータ、ノートブック、ＡＣアダプタ等の外部充電電源と組み合わせ、隨時充電を行うことができる。
【図面の簡単な説明】
【０００８】
【図１】本考案の実施例１を示す点火装置の斜視図である。
【図２】本考案の実施例１を示す点火装置の別角度からの斜視図である。
【図３】本考案の実施例１を示す点火装置の分解斜視図である。
【図４】本考案の実施例１に係る回路図である。
【図５】本考案の実施例２を示す点火装置の斜視図である。
【図６】本考案の実施例２を示す点火装置のキーリング連結時の斜視図である。
【図７】煙草に点火する時の点火装置の斜視図である。
【図８】線香に点火する時の点火装置の斜視図である。
【図９】第２制御ボタン操作時における点火装置の斜視図である。
【図１０】発光素子が発光した時の点火装置の斜視図である。
【図１１】蓄電素子に対する充電操作時の点火装置の斜視図である。
【考案を実施するための形態】
【０００９】
以下、本考案の実施例を図面に基づいて詳細に説明する。
図１、図２、図３及び図４は、本考案の実施例１を示す。
点火装置１００は、ハウジング１０を含む。ハウジング１０は上ハウジング１１と下ハウジング１２を含み、上ハウジング１１の表面に少なくとも１つの点火口１１１と孔１１２が形成される。
【００１０】
制御回路２０がハウジング１０の上ハウジング１１と下ハウジング１２の間に収容される。制御回路２０は電熱点火、照明発光、充電制御の機能を備える。
制御回路２０の形態は特に限定されないが、実施例１ではダイオードＤ１、第１抵抗器Ｒ１、第２抵抗器Ｒ２、第１制御ボタンＳ１、第２制御ボタンＳ２を含む（図４参照）。なお、その他機能を備えた回路から構成してもよい。
ダイオードＤ１は、陽極端Ｄ１１に直流電源プラス端２００が入力され、陰極端Ｄ１２が直流電源を出力し、直流電源の極性の逆接防止機能を備えている。
【００１１】
陰極端Ｄ１２は第１抵抗器Ｒ１の一端、第１制御ボタンＳ１の一端、第２制御ボタンＳ２の一端に接続され、充電制御機能を提供する。
第１制御ボタンＳ１の表面には保護フィルムカバーＳ１１が被着され、且つ第１制御ボタンＳ１及び保護フィルムカバーＳ１１はハウジング１０の上ハウジング１１の孔１１２の外に突出して露出される。
【００１２】
第２制御ボタンＳ２の他端は、第２抵抗器Ｒ２の一端、第１抵抗器Ｒ１の他端と接続され、第１制御ボタンＳ１の他端に電熱点火制御機能を提供させると共に、第２抵抗器Ｒ２の他端に照明発光制御機能を提供させる。
第１制御ボタンＳ１と第２制御ボタンＳ２は、ハウジング１０の上ハウジング１１の表面及び、上ハウジング１１と下ハウジング１２の外部側面にそれぞれ設置される。
【００１３】
点火素子３０はハウジング１０の下ハウジング１２内に設置され、且つ上ハウジング１１の点火口１１１内に位置する。点火素子３０は電熱点火機能を持つ素子であり、本実施例ではフィラメントを例とする。
点火素子３０の両端は、制御回路２０の第１制御ボタンＳ１の他端、及び、直流電源マイナス端２１０とそれぞれ接続され、第１制御ボタンＳ１の押圧操作により、点火素子３０のオンまたはオフが制御される。
【００１４】
発光素子４０はハウジング１０の上ハウジング１１と下ハウジング１２との間の外部に設置され、本実施例では上ハウジング１１と下ハウジング１２との間の外部前端に設置されている。発光素子４０の形式は特に限定されないが、本実施例では発光ダイオードを例とする。
発光素子４０は、制御回路２０の第２抵抗器Ｒ２の他端と直流電源マイナス端２１０との間に接続され、制御回路２０の第２制御ボタンＳ２の押圧操作により制御されて、照明発光と電源状態発光表示を行なう。
【００１５】
蓄電素子５０は、ハウジング１０の上ハウジング１１と下ハウジング１２の間に収容され、充電機能を有する。蓄電素子５０の形態は特に限定されないが、本実施例では蓄電池を例とする。
蓄電素子５０のプラス端、マイナス端は、制御回路２０のダイオードＤ１の陰極端Ｄ１２と直流電源マイナス端２１０にそれぞれ接続され、制御回路２０、点火素子３０、発光素子４０に必要な直流電源を提供する。
【００１６】
充電コネクタ６０は、ハウジング１０の上ハウジング１１と下ハウジング１２との間の後端に収容される。
また、充電コネクタ６０は制御回路２０の直流電源プラス端２００と直流電源マイナス端２１０の間に接続され、制御回路２０に蓄電素子５０のプラス端、マイナス端間に対して充電を行わせる。
【００１７】
図５及び図６は、本考案の実施例２を示す。
ハウジング１０の下ハウジング１２にリング部１２１が設けられる。リング部１２１には少なくとも１つのキーリング３００(図６参照)を連結可能であり、点火装置１００を鍵３１０と共に収納及び携帯して使用することができるようになっている。
その他の構造は実施例１と同様なので、同一部分に共通の符号を付して詳細な説明を省略する。
【００１８】
図７及び図８に点火装置１００の使用例を示す。
使用者が指で制御回路２０中の第１制御ボタンＳ１を押すと、制御回路２０が点火素子３０に対して通電を行い、点火素子３０が通電されると熱エネルギーを発生する。この時、１本の煙草４００(図７参照)または線香５００(図８参照)などの物品をハウジング１０の上ハウジング１１の点火口１１１に差し込んで点火素子３０に接触させ、点火の操作を行うことができる。
煙草４００または線香５００の点火が完了したら、指を第１制御ボタンＳ１から放すと、制御回路２０が点火素子３０に対して電力の切断を行い、点火素子３０が未通電・未加熱の原状を回復する。
【００１９】
図９及び図１０に、発光時の点火装置１００を示す。
使用者が指で制御回路２０中の第２制御ボタンＳ２を押すと、制御回路２０の直流電源プラス端２００が第２抵抗器Ｒ２を経由して発光素子４０に給電し、発光素子４０を点灯・発光させて、照明機能を発揮できる。
指を第２制御ボタンＳ２から放すと、蓄電素子５０から第２抵抗器Ｒ２を経由して発光素子４０に対して給電する経路が切断され、蓄電素子５０が第１抵抗器Ｒ１と第２抵抗器Ｒ２を経由して発光素子４０に対して給電する経路は、蓄電素子５０が発光素子４０を点灯・発光させることができる電流量を提供できないため、発光素子４０は発光しない。
【００２０】
図１１に、充電操作時の点火装置１００を示す。
充電コネクタ６０はＭＩＮＩ  ＵＳＢコネクタであり、ＵＳＢケーブル６００の一端の第１ＵＳＢコネクタ６１０を接続することができる。ＵＳＢケーブル６００の他端の第２ＵＳＢコネクタ６２０をパーソナルコンピュータ、ノートブックコンピュータ、タブレット型コンピュータ、パーソナルデジタルアシスタント（ＰＤＡ）、携帯型電源、ＡＣアダプタ等の外部充電電源に接続して制御回路２０に必要な充電電源を提供することにより、制御回路２０が蓄電素子５０に対して充電を行うことができる。
また外部充電電源が充電コネクタ６０に接続されると、直流電源プラス端２００が第１抵抗器Ｒ１及び第２抵抗器Ｒ２を経由して発光素子４０に給電する経路は、外部充電電源の電圧が比較的高く、且つ発光素子４０を点灯させるに足る電流量を提供できるため、発光素子４０が点灯・発光して充電中であることを表示する。
【００２１】
なお、図７〜図１１を参照した記載は、実施例１及び実施例２に共通のものである。
また、以上に説明した実施例は、本考案の権利範囲を制限するものではなく、本考案の実用新案登録請求の範囲を逸脱しない細部構造の変更や修飾、例えば、同等機能を有する素子への代替等は、本考案の権利範囲に含まれる。
【符号の説明】
【００２２】
１００    点火装置
１０      ハウジング
１１      上ハウジング
１１１    点火口
１１２    孔
１２      下ハウジング
１２１    リング部
２０      制御回路
３０      点火素子
４０      発光素子
５０      蓄電素子
６０      充電コネクタ
２００    直流電源プラス端
２１０    直流電源マイナス端
３００    キーリング
３１０    鍵
４００    煙草
５００    線香
６００    ＵＳＢケーブル
６１０    第１ＵＳＢコネクタ
６２０    第２ＵＳＢコネクタ
Ｄ１      ダイオード
Ｄ１１    陽極端
Ｄ１２    陰極端
Ｒ１      第１抵抗器
Ｒ２      第２抵抗器
Ｓ１      第１制御ボタン
Ｓ２      第２制御ボタン
Ｓ１１    保護フィルムカバー
【図１】
0003175946.tif 000003
【図２】
0003175946.tif 000004
【図３】
0003175946.tif 000005
【図４】
0003175946.tif 000006
【図５】
0003175946.tif 000007
【図６】
0003175946.tif 000008
【図７】
0003175946.tif 000009
【図８】
0003175946.tif 000010
【図９】
0003175946.tif 000011
【図１０】
0003175946.tif 000012
【図１１】
0003175946.tif 000013